(57)【特許請求の範囲】
【請求項１】
コケ植物が養生されて形成されるコケ植物層を上面に有するコケ養生マットと、
前記コケ植物層上に重ねて載置される編まれた基材と、前記基材上に起立する芝葉を模した多数のパイルとを有するネット状の人工芝のマットと
を備え、
前記基材はメッシュ状であり、各開口の形状が変形可能である、
緑化用マット。
【請求項２】
前記パイルは、前記基材に編み込まれている、
請求項１に記載の緑化用マット。
【請求項３】
前記基材の開口率は、２０％より大きい、
請求項１又は２に記載の緑化用マット。
【請求項４】
前記基材の各開口は、一辺の長さを６５ｍｍ以下とする略四角形状である、
請求項１から３のいずれかに記載の緑化用マット。
【請求項５】
前記基材の各開口は、一辺の長さを３５ｍｍ以下とする略四角形状である、
請求項４に記載の緑化用マット。
【請求項６】
前記基材の各開口は、一辺の長さを１５ｍｍ以下とする略四角形状である、
請求項５に記載の緑化用マット。
【請求項７】
前記パイルの長さは、５ｍｍ以上である、
請求項１から６のいずれかに記載の緑化用マット。
【請求項８】
コケ植物が養生されて形成されるコケ植物層を上面に有するコケ養生マットを設置するステップと、
前記コケ植物層の上に、編まれた基材と、前記基材上に起立する芝葉を模した多数のパイルとを有するネット状の人工芝のマットを載置するステップと
を含み、
前記基材はメッシュ状であり、各開口の形状が変形可能である、
緑化用マットの設置方法。
【請求項９】
コケ植物が養生されて形成されるコケ植物層を上面に有するコケ養生マットの前記コケ植物層上に、編まれた基材と、前記基材上に起立する芝葉を模した多数のパイルとを有するネット状の人工芝のマットを載置するステップ
を含み、
前記基材はメッシュ状であり、各開口の形状が変形可能である、
緑化用マットの設置方法。
【発明の詳細な説明】
【技術分野】
【０００１】
本発明は、緑化用マット及びその設置方法に関し、特に、コケ植物と人工芝とのハイブリッドタイプの緑化用マット及びその設置方法に関する。
【背景技術】
【０００２】
昨今、ヒートアイランド対策や地球温暖化対策として、しばしば、敷地や建造物に一定以上の緑化面積を確保することが求められる。このとき、多くの場合、土地が限られることもあり、建造物の屋根や壁面等に植物が配置される。具体的には、壁面にヘチマやフウセンカズラ等の蔦植物をスノコ状に這わせたり、壁面にセダムや観葉植物を植え付けたり、屋根に芝やセダム、観葉植物、多肉植物、樹木等を配置したりすることが行われている。
【０００３】
しかしながら、上記に例示したような多くの植物は、維持管理に手間がかかる。例えば、一年草であれば、シーズンごとに植え込み、生育及び撤去を行わなければならない。多年草や常緑種でも、枯れた部分の植え替えが必要であり、多くの場合、頻繁に水やりや肥料やり、刈取りを行わなければならない。また、種子植物の場合には、風によって種子が飛散して周辺に自生することもあり、周辺の生態系を崩す可能性もある。さらに、根を這わせるために一定以上の深さの土壌が必要な植物では、建造物の耐荷重を考慮しなければならなくなる。
【０００４】
以上の問題を克服する植物として、近年、コケ植物が注目されている。コケ植物は乾燥しても仮死状態になるだけで枯れることがなく、水を与えれば再生するため、雨水だけでも維持することができる。また、コケ植物は、胞子で増殖し、空気中から水分を摂取するのみで細胞を維持するため、肥料も不要である。さらに、どこにでも生えている植物であるため、周辺の生態系への影響が少ない。その上、コケ植物は、土壌なしでも生育し、コンクリート等の無機質上でも腐食化のスピードが遅く、炭素固定化能力も高く、温室効果ガス削減にも非常に有用である。特許文献１，２には、コケ植物を用いた緑化用マットないしパネルが開示されている。
【先行技術文献】
【特許文献】
【０００５】
【特許文献１】特開２００５−１６８３７０号公報
【特許文献２】特開２００３−２５０３３５号公報
【発明の概要】
【発明が解決しようとする課題】
【０００６】
しかしながら、コケ植物は仮死状態に入ると、細胞内の葉緑体が見えにくくなり、黄味や茶色味を帯びた色に変色し、色味が落ちてしまう。この点、特許文献２では、コケ植物を担持したシートに人工芝の芝葉を格子状に植設することにより、人工芝で色味をカバーしている。しかしながら、この方法では、植設時にコケ植物を傷つけてしまい、コケ植物がシートから剥がれ落ちてしまう虞がある。また、人工芝が格子状に植設されるこの方法では、人工芝の配列が人工的であり、コケ植物と人工芝とを自然に配置することができず、時として美観を欠く。
【０００７】
本発明は、コケ植物を傷つけることなく、コケ植物と人工芝とを自然に混合配置することができる緑化用マット及びその設置方法を提供することにある。
【課題を解決するための手段】
【０００８】
本発明の第１観点に係る緑化用マットは、コケ植物が養生されたコケ養生マットと、前記コケ養生マット上に重ねて載置され、ネット状に編まれた基材と、前記基材上に起立する芝葉を模した多数のパイルとを有するネット状の人工芝のマットとを備える。
【０００９】
本発明の第２観点に係る緑化用マットは、第１観点に係る緑化用マットであって、前記パイルは、前記ネット状の基材に編み込まれている。
【００１０】
本発明の第３観点に係る緑化用マットは、第１観点又は第２観点に係る緑化用マットであって、前記ネット状の基材の開口率は、２０％より大きい。
【００１１】
本発明の第４観点に係る緑化用マットは、第１観点から第３観点のいずれかに係る緑化用マットであって、前記ネット状の基材の各開口は、一辺の長さを６５ｍｍ以下とする略四角形状である。
【００１２】
本発明の第５観点に係る緑化用マットは、第４観点に係る緑化用マットであって、前記ネット状の基材の各開口は、一辺の長さを３５ｍｍ以下とする略四角形状である。
【００１３】
本発明の第６観点に係る緑化用マットは、第５観点に係る緑化用マットであって、前記ネット状の基材の各開口は、一辺の長さを１５ｍｍ以下とする略四角形状である。
【００１４】
本発明の第７観点に係る緑化用マットは、第１観点から第６観点のいずれかに係る緑化用マットであって、前記パイルの長さは、５ｍｍ以上である。
【００１５】
本発明の第８観点に係る緑化用マットの設置方法は、以下のステップを含む。
（１）コケ植物が養生されたコケ養生マットを設置するステップ。
（２）前記コケ養生マットの上に、ネット状に編まれた基材と、前記基材上に起立する芝葉を模した多数のパイルとを有するネット状の人工芝のマットを載置するステップ。
【００１６】
本発明の第９観点に係る緑化用マットの設置方法は、以下のステップを含む。
（１）コケ植物が養生されたコケ養生マット上に、ネット状に編まれた基材と、前記基材上に起立する芝葉を模した多数のパイルとを有するネット状の人工芝のマットを載置するステップ。
【発明の効果】
【００１７】
本発明によれば、コケ植物が養生されたコケ養生マット上に、芝葉を模した多数のパイルを有するネット状の人工芝のマットが重ねて載置される。これにより、例えば、コケ植物が仮死状態にある場合でも、コケ植物の色味を人工芝の色味でカバーすることができる。また、コケ養生マット上に人工芝のマットが載置される構成、言うならば、人工芝のマットを「ウィッグ」のようにコケ養生マットに取り付ける構成であるため、人工芝がコケ植物を傷つける虞が低減される。これにより、コケ植物を傷つけることなく、人工芝とコケ植物とを混合した緑化用マットを提供することができる。
【００１８】
さらに、本発明によれば、人工芝のマットの基材がネット状に編まれている。従って、基材は、比較的自由に変形することができる。その結果、基材上に配置される芝葉を模したパイルは、全体的にバランスよく配置されながらも、格子状の配列といった画一的な配列ではなく、自然な配列を形成する。これにより、人工芝のマットをコケ養生マット上に取り付けたときに、ネット状の人工芝のマットの隙間から見えるコケ植物と人工芝とを自然に混合配置することができる。
【図面の簡単な説明】
【００１９】
【図１】本発明の一実施形態に係る緑化用マットの側面図。
【図２】図１のＩＩ−ＩＩ線断面図。
【図３Ａ】緑化用マットの製造工程（第１段階）を示す図。
【図３Ｂ】緑化用マットの製造工程（第２段階）を示す図。
【図３Ｃ】緑化用マットの製造工程（第３段階）を示す図。
【図３Ｄ】緑化用マットの製造工程（第４段階）を示す図。
【図３Ｅ】緑化用マットの製造工程（第５段階）を示す図。
【図４】変形例に係るコケ養生マットの側面図。
【発明を実施するための形態】
【００２０】
以下、図面を参照しつつ、本発明の一実施形態に係る緑化用マット及びその設置方法について説明する。
【００２１】
＜１．緑化用マットの構成＞
＜１−１．全体構成＞
本実施形態に係る緑化用マット１は、コケ植物と人工芝とのハイブリッドタイプの緑化用マットである。緑化用マット１は、ヒートアイランド対策や地球温暖化対策用の資材であり、典型的には、建造物の屋根や壁面等に設置される。しかしながら、その用途は限定されず、例えば、ガーデニングに用いることもできるし、道路の中央分離帯や道路脇等に設置することもできる。
【００２２】
図１に、緑化用マット１の側面図を示し、図２に、図１のＩＩ−ＩＩ線断面図を示す。これらの図に示されるとおり、緑化用マット１は、コケ養生マット２と、人工芝マット３とを組み合わせることで構成される。図３Ａ〜図３Ｅは、緑化用マット１の製造工程を順に示す図であり、このうち図３Ａ〜図３Ｄは、コケ養生マット２の製造工程を示している。図３Ｅは、コケ養生マット２に人工芝マット３が組み合わされて完成された緑化用マット１の側面図である。
【００２３】
＜１−２．コケ養生マット＞
図３Ｄに示すように、本実施形態に係るコケ養生マット２は、第１の不織布シート層２１と、第２の不織布シート層２２と、基盤層２５と、コケ植物層２６とを、この順に下から積み上げたような構造を有する。コケ養生マット２は、以下の手順で製造される。まず、図３Ａに示すように、第２の不織布シート層２２の上に、バネ２３を載置する。バネ２３は、細長い金属材料を三次元的にランダムに何度も折り曲げた部材であり、全体が薄い空間内に収まるように構成される。
【００２４】
次に、図３Ｂに示すように、第２の不織布シート層２２上において、バネ２３を埋めるような態様で、コケ養生材料とコケ植物の種苗（種コケ）を混合したコケ植物混合体２４の層、すなわち、基盤層２５を形成する。この段階でのコケ植物混合体２４は、粉末状であり、コケ養生材料とコケ植物とが均等に混合されている。また、このとき、コケ植物混合体２４は、バネ２３内の空間にも入り込むように配置される。バネ２３は、主として、基盤層２５の形状を維持する役割、すなわち、基盤層２５の強度を保つ役割を果たす。
【００２５】
本実施形態では、コケ養生材料は、紙やおがくずのような吸水性のある繊維状の材料から構成され、これらの繊維状の材料には、糊も混ぜられている。従って、コケ養生材料の層は、少なくとも図１の状態においては、概ね一体的にまとまった集合体を構成している。また、コケ養生材料には、コケの養生環境を整えるべく、繊維状の材料の他、珪藻土、ゼオライト粉末等の鉱物（コケ植物との相性の良いものが好ましい）、保水性ポリマー、粒状綿等の保水剤等を、適宜組み合わせて混合することができる。
【００２６】
コケ養生材料を構成する材料は、上述した例に限られないが、水分を保持する能力があり、表面にコケ植物を定着させる能力があることが好ましい。また、コケ養生材料を殆ど土壌とすることもできるが、主な材料としては、上記したような紙やおがくずのように、軽量の材料が選択されることが好ましい。また、バネ２３の材料も、コケ養生材料からなる基盤層２５の形状を支持する役割、すなわち、基盤層２５の強度を保つ役割を果たすことができる限り特に限定されない。バネ２３の材料の好ましい例としては、上述した金属材料の他、ポリエチレン等の樹脂材料を挙げることができる。
【００２７】
そして、コケ植物混合体２４及び第２の不織布シート層２２に水分を与えながらコケ植物を育成する。コケ植物は、この育成期間に仮根を基盤層２５に含まれるコケ養生材料の中でネットワーク状に成長させ、コケ養生材料に絡みつき、コケ養生材料の表面にコケ植物を定着させる。図３Ｂにおける参照符号２６ａは、コケ植物を示している。育成期間は、育成環境にもよるが、１年以上育成することが好ましく、また、１年半程度育成することがより好ましい。この場合、１０ｍｍ程度のコケ植物からなるコケ植物層２６を形成することができる（図３Ｃ参照）。なお、少なくともコケ植物が十分に成長した図１の状態においては、コケ養生材料の中では全体的に、コケ植物の仮根がネットワークを形成しておいる。
【００２８】
コケ植物層２６が所望の高さまで成長した後、第２の不織布シート層２２の下にさらに不織布のシートを配置し、第１の不織布シート層２１を形成する（図３Ｄ参照）。第１及び第２の不織布シート層２１，２２は、コケ植物に与えるための水分を保持する役割を果たす層となる。また、コケ植物を保護するクッション層にもなる。このため、第１の不織布シート層２１は、第２の不織布シート層２２よりも厚くすることが好ましい。その後、第１の不織布シート層２１と、第２の不織布シート層２２と、基盤層２５とを上下方向に貫くように糸２７を用いて縫製することにより、第１の不織布シート層２１と、第２の不織布シート層２２と、基盤層２５と、コケ植物層２６とを固定する。これにより、コケ養生マット２が完成する。
【００２９】
なお、層２１，２２，２５を固定する方法は、縫製に限らず、例えば、適宜ピン止めを行ってもよい。また、図４に示すように、コケ植物層２６が基盤層２５から剥がれて飛散するのを抑制すべく、コケ植物層２６をメッシュ状の薄板（以下、ネット部材）２８で覆ってもよい。このネット部材２８は、例えば、ポリエチレン等の樹脂製とすることもできるし、金属製とすることもできる。ネット部材２８を使用する場合には、例えば、糸２７による縫製やピン止めの態様で、ネット部材２８をコケ養生マット２に含まれるその他の層２１，２２，２５，２６に固定することが好ましい。
【００３０】
コケ植物の種類は、特に限定されない。好ましい例としては、スナゴケ、ハイゴケ、ミズゴケ等が挙げられるが、これらの中では、特にスナゴケが好ましい。
【００３１】
＜１−３．人工芝マット＞
次に、人工芝マット３について説明する。人工芝マット３は、コケ養生マット２上に重ねて載置されるマットであり、コケ養生マット２に取り付けられる「ウィッグ」のようなマットである。コケ養生マット２の上部層を構成するコケ植物は、仮死状態にある場合には黄味又は茶色味を帯びて色味が劣化するが、「ウィッグ」のように取り付けられる人工芝マット３により、劣化したコケ植物の色味をカバーすることができる。また、コケ植物が仮死状態にない場合においても、例えば、コケ植物が十分に生育するまでの間において、美観を高めることができる。
【００３２】
図３Ｅに示すように、人工芝マット３は、基材３１と、基材３１から起立する芝葉を模した多数のパイル３２とを有する。図２に示すように、基材３１は、ネット状又はメッシュ状に構成されており、パイル３２は、所定の間隔を空けつつ、基材３１上の至るところから「生える」ようにして起立している。その結果、人工芝マット３の全体形状も、ネット状又はメッシュ状となり、緑化用マット１にパイル３２の色味を全体的に導入することができる。また、ネット状の人工芝マット３の開口を介して、人工芝マット３で覆われたコケ植物層２６に日光を与えることができる。さらには、ネット状の人工芝マット３は、コケ植物層２６を保護することができ、コケ植物層２６が剥がれて飛散するのを抑制することができる。
【００３３】
また、コケ植物層２６は、パイル３２により形成される適度な陰に入るため、直射日光に当たりにくい。そのため、コケ植物層２６が乾燥し難く、仮死状態になりにくくなる。また、パイル３２により、風が直接コケ植物層２６に当たりにくくなるため、この意味でも、コケ植物の飛散が抑制される。
【００３４】
パイル３２の材質及び形態は、芝葉の外観を実現することができる限り、特に限定されないが、本実施形態では、パイル３２は、ポリエチレン製の扁平なフィラメント糸（ヤーン）を用いて形成される。パイル３２は、ポリエチレンの他、例えば、ポリプロピレン等の熱可塑性樹脂からも好ましく製造することができる。勿論、パイル３２の色味は、芝葉の色、典型的には緑色である。パイル３２の長手方向の断面形状は、特に限定されず、例えば、三角形、矩形、円形、星形等とすることができる。
【００３５】
基材３１の表面からパイル３２の先端までの長さＷ１は、Ｗ１≧５ｍｍであることが好ましく、Ｗ１≧７ｍｍであることがより好ましい。この場合、コケ植物が成長し、図１に示すようにパイル３２間にまで至るようになっても、パイル３２がコケ植物に埋もれ難く、どのようなときでもパイル３２の色味を緑化用マット１の外観に与えることができる。なお、パイル３２は、自重によりやや傾くが、ここでいう長さＷ１とは、パイル３２を直線状に起立させたときの長さである。また、Ｗ１≦４５ｍｍであることが好ましく、Ｗ１≦３５ｍｍであることがより好ましく、Ｗ１≦２５ｍｍであることがさらに好ましい。以上の観点を複合的に勘案すると、７ｍｍ≦Ｗ１≦３０ｍｍであることが好ましく、特に１０ｍｍ程度（７ｍｍ≦Ｗ１≦１５ｍｍ）であることがより好ましい。
【００３６】
基材３１は、二次元的に広がるように編まれたネット状の部材である。すなわち、基材３１は、材料となるヤーンを全体が二次元的にネット状に広がるように編むことにより構成されている。また、本実施形態では、ネット状に編まれた基材３１を構成するヤーンに、パイル３２が概ね一定の間隔で全体的に編み込まれている。例えば、パイル３２となるＷ１×２倍の長さのヤーンを２つ折りにし、これを基材３１の編み目に絡まるように編み込むことにより、パイル３２を形成することができる。基材３１を構成するヤーンの材質は、特に限定されないが、本実施形態では、ポリエステル製のヤーンである。また、基材３１の編み方も特に限定されないが、好ましい例としては、ラッセル編みを挙げることができる。なお、基材３１の部分にＳＢＲラテックス等の接着剤を塗布し、基材３１の編み目が解けないように、基材３１の編み目を固定することが好ましい。また、このように接着剤を塗布することで、基材３１からのパイル３２の脱落を防止することもできる。
【００３７】
以上のように、人工芝マット３の基材３１がネット状に編まれていることにより、基材３１は、比較的自由に変形することができる。その結果、ネット状の基材３１の各開口が、不揃いな形状及び大きさとなる。従って、基材３１上に配置されるパイル３２は、全体的に二次元的にバランスよく配置されながらも、画一的な配列ではなく、自然な配列を形成する。これにより、人工芝マット３をコケ養生マット２上に取り付けたときに、人工芝マット３の隙間から見えるコケ植物と人工芝（パイル３２）とを自然に混合配置することができる。
【００３８】
図２は、基材３１の高さ位置での緑化用マット１の横断面図である。なお、図２では、基材３１の開口が全て概ね均等な形状及び大きさに描かれているが、人工芝マット３がコケ養生マット２上に設置された状態においては、より不揃いな状態となる。人工芝マット３の開口率Ｎ（平均）は、Ｎ＞２０％であることが好ましく、Ｎ＞６０％であることがより好ましく、Ｎ＞８０％であることがより好ましく、Ｎ＞９０％であることがさらに好ましい。この場合、人工芝マット３に覆われたコケ植物層２６に日光を十分に与えることができる。なお、ここでいう開口率Ｎは、基材３１の開口率を意味し、基材３１の平面視又は底面視における単位面積当たりの開口の面積である。また、Ｎ≦９７％であることが好ましく、Ｎ≦９６％であることが好ましく、Ｎ≦９４％であることがさらに好ましい。この場合、緑化用マット１の平面視において、コケ植物層２６が見える面積の割合が小さくなるため、コケ植物が仮死状態になった場合にも、色味が劣化し過ぎることがない。
【００３９】
人工芝マット３の各開口の形状は、本実施形態では、略菱形である。基材３１の各開口の一辺の長さＬ１（平均）は、Ｌ１≦６５ｍｍであることが好ましく、Ｌ１≦３５ｍｍであることがより好ましく、Ｌ１≦１５ｍｍであることがさらに好ましい。この場合、コケ植物層２６の脱落防止機能をより効果的に高めることができる。また、この場合、図４に示したようなネット部材２８を特に好ましく省略することができる。
【００４０】
＜２．緑化用マットの設置方法＞
次に、上述した緑化用マット１の設置方法について説明する。まず、コケ養生マット２及び人工芝マット３を用意し、設置場所まで搬送する。コケ養生マット２及び人工芝マット３は、搬送のし易さや施工性の観点から、例えば、数メートル×数メートルの矩形状のマットないしパネル状に形成されている。従って、ここでは、設置場所の面積に併せて必要な個数を用意する。なお、コケ養生マット２及び人工芝マット３のサイズは同じであってもよいし、異なっていてもよい。
【００４１】
現場では、コケ養生マット２を設置面に対し固定しながら、並べて敷き詰める。このとき、コケ養生マット２は、コケ植物層２６が上側を向くように設置される。また、固定方法は適宜選択することができ、例えば、水平又は傾斜した屋根であれば、接着剤や両面接着テープ等を用いて固定することもできるし、コンクリート用の釘やアンカー等の金具を用いて固定することもできる。
【００４２】
その後、敷き詰められたコケ養生マット２の上に、さらに人工芝マット３を並べて敷き詰める。このとき、人工芝マット３は、基材３１側が下側、パイル３２が上側を向くように設置される。また、このとき、人工芝マット３は、コケ養生マット２の特にコケ植物層２６を傷つけないように、コケ養生マット２の上に軽く載置される。人工芝マット３も、設置場所に対して固定される。固定方法は適宜選択することができ、例えば、釘やアンカー等の金具を用いて設置面に対して直接固定することもできるし、設置面に固定されているコケ養生マット２に対してピン止め等により固定することもできる。
【００４３】
なお、人工芝マット３は、既にコケ養生マット２が導入されている設置場所において、後付けを行うこともできる。
【００４４】
以上により、緑化用マット１の設置の作業は完了する。この段階の緑化用マット１は、例えば、図３Ｅのような状態である。そして、その後、さらにコケ植物層２６が成長すると、図１のような状態となる。すなわち、コケ植物がパイル３２間に入り込み、人工芝とコケ植物とが一体化したような外観を生むようになる。以上により、本実施形態に係る緑化用マット１では、コケ植物層２６を人工芝マット３で適切に保護しながら、人工芝の発色により安定的に美しい外観を提供することができる。
【００４５】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００４６】
上記実施形態では、コケ養生マット２及び人工芝マット３は、設置場所で互いに固定されたが、これらを予め固定しておいてもよい。予め固定する固定方法は、適宜選択することができ、例えば、縫製により両者を固定することもできるし、上述した例と同じくピン止め等により両者を固定することもできる。
【符号の説明】
【００４７】
１  緑化用マット
２  コケ養生マット
２１  第１の不織布シート層
２２  第２の不織布シート層
２３  バネ
２４  コケ養生材料
２５  基盤層
２６  コケ植物層
２８  ネット部材
３  人工芝マット
３１  基材
３２  パイル
【図１】
0006750343.tif 000002
【図２】
0006750343.tif 000003
【図３Ａ】
0006750343.tif 000004
【図３Ｂ】
0006750343.tif 000005
【図３Ｃ】
0006750343.tif 000006
【図３Ｄ】
0006750343.tif 000007
【図３Ｅ】
0006750343.tif 000008
【図４】
0006750343.tif 000009